(57)【要約】【課題】  網点の配列により導光板の特定領域の輝度を高めた導光板の提供。【解決手段】  導光板は上表面と少なくとも一つの側方向入射面を具え、並びに少なくとも一つの側方向入射面に対応するランプが組み合わされている。本発明の特徴は導光板の上表面に複数の第１網点が設けられ、その少なくとも一つの特定領域内に別に、第１網点間隙の間に分布する複数の第２網点が設けられ、これにより上述の特定領域内の反射率が高められ、並びに導光板の輝度の均一性が増されたことにある。【選択図】        図３
2005243601.tif 000002
【特許請求の範囲】
【請求項１】
上表面と少なくとも一つの側方向入射面を具え、該上表面に複数の第１網点が分布する導光板において、
該導光板の上表面に少なくとも一つの特定領域があり、並びに該少なくとも一つの特定領域に複数の第２網点が設けられ、且つ該第２網点が第１網点の間隙の間に分布することを特徴とする、導光板。
【請求項２】
請求項１記載の導光板において、少なくとも一つの特定領域が少なくとも一つの側方向入射面の少なくとも一端に近接することを特徴とする、導光板。
【請求項３】
請求項１記載の導光板において、第２網点が凹点とされたことを特徴とする、導光板。
【請求項４】
請求項１記載の導光板において、第２網点が円形とされたことを特徴とする、導光板。
【請求項５】
請求項１記載の導光板において、第２網点が第１網点とは異なる形状とされたことを特徴とする、導光板。
【発明の詳細な説明】
【技術分野】
【０００１】
本発明は一種の導光板に係り、特に、網点の配列により導光板の特定領域の輝度を高めた導光板に関する。
【背景技術】
【０００２】
現在、液晶ディスプレイは既に市場の主流製品となっており、液晶ディスプレイにはある重要な品質、即ち全体の液晶パネルの輝度の均一性が要求される。液晶パネルの輝度が均一であるか否かは、導光板の提供する光線輝度の均一性に依存する。しかし、導光板のランプ電極に近い部分にはいわゆる角部の暗帯が発生し、全体の導光板の輝度の均一性に影響を与える。
【０００３】
現在このような角部の暗帯を打ち消すための方法としては二種類がある。図１に示されるように、第１種の方法では、導光板１１の上表面１１１の上に複数の網点１１２を形成し、これら網点１１２のサイズを導光板１１上の位置により変化させ、角部の暗帯１２１に接近するほど網点１１２のサイズを大きくして角部の暗帯１２１に接近するほど導光板１１の反射率が大きくなるようにし、これによりランプ１３１の二側の電極１３２の光線不足の部分を補償する。ただし、このような方法はその補償の能力が有限であり、並びに確実に導光板１１の反射率を高めることができない。
【０００４】
図２は周知の角部の暗帯を打ち消すための第２種の方法を示し、それによると、導光板１５の上表面１５１に複数のサイズの不一致の網点１５２を形成する以外に、導光板１５の角部の暗帯１６１に接近する導光板側面１８２と、ランプ１７１の電極１７２の間に反射膜片１８１を挿入し、並びに導光板１５の角部の暗帯１６１に接近する導光板側面１８２を表面処理、例えば表面霧状化、表面めっき膜、表面スクラッチ等を行なう。このような方法は角部の暗帯１６１より射出される光線を反射膜片１８１或いは表面処理した一部の導光板側面１８２で反射或いは散乱させて、新たに導光板１５内部に進入させえることで、導光板１５の角部の暗帯１６１の輝度を増すことができる。しかし、このような方法はその製造工程が非常に複雑で、余分に導光板表面処理を行ない、及び余分に反射膜片を準備しなければならず、生産コストが大幅にアップし、生産時間も引き伸ばされる。
【発明の開示】
【発明が解決しようとする課題】
【０００５】
本発明の主要な目的は、一種の導光板を提供することにあり、それは、導光板の特定領域内の反射率を高めて導光板の輝度の均一性を増したものとする。
【０００６】
本発明の別の目的は、一種の導光板を提供することにあり、それは、簡単の構造で導光板の反射率を高め輝度の均一性を高めたものとする。
【課題を解決するための手段】
【０００７】
請求項１の発明は、上表面と少なくとも一つの側方向入射面を具え、該上表面に複数の第１網点が分布する導光板において、
該導光板の上表面に少なくとも一つの特定領域があり、並びに該少なくとも一つの特定領域に複数の第２網点が設けられ、且つ該第２網点が第１網点の間隙の間に分布することを特徴とする、導光板としている。
請求項２の発明は、請求項１記載の導光板において、少なくとも一つの特定領域が少なくとも一つの側方向入射面の少なくとも一端に近接することを特徴とする、導光板としている。
請求項３の発明は、請求項１記載の導光板において、第２網点が凹点とされたことを特徴とする、導光板としている。
請求項４の発明は、請求項１記載の導光板において、第２網点が円形とされたことを特徴とする、導光板としている。
請求項５の発明は、請求項１記載の導光板において、第２網点が第１網点とは異なる形状とされたことを特徴とする、導光板としている。
【発明の効果】
【０００８】
本発明によると、導光板は上表面と少なくとも一つの側方向入射面を具え、並びに少なくとも一つの側方向入射面に対応するランプが組み合わされている。本発明の特徴は導光板の上表面に複数の第１網点が設けられ、その少なくとも一つの特定領域内に別に、第１網点間隙の間に分布する複数の第２網点が設けられ、これにより上述の特定領域内の反射率が高められ、並びに導光板の輝度の均一性が増されたことにある。即ち本発明は、網点の配列により導光板の特定領域の輝度を高めて導光板の輝度の均一性を増すことができ、且つ本発明の構造は周知の角部の暗帯を除去する方法よりも簡単である。
【発明を実施するための最良の形態】
【０００９】
本発明の導光板は上表面と少なくとも一つの側方向入射面を具え、並びに導光板の上表面に複数の第１網点が設けられた導光板において、導光板の上表面に少なくとも一つの特定領域があり、且つ導光板の上表面に複数の第１網点のほかに、該少なくとも一つの特定領域内に第１網点間隙の間に分布する第２網点が設置されたことを特徴とする。
【００１０】
本発明の導光板は周知の導光板に較べて多くの余分の網点、即ち第２網点を設置しているため、本発明の導光板は特定領域（例えば角部の暗帯）内の反射率が周知の導光板より増加する。このほか、本発明の網点（第１網点、第２網点）のサイズは異なる幾何曲線に依り変化設計可能で、且つ網点の形状及びタイプに制限はなく、ゆえに本発明の導光板は実際の必要により、導光板の特定領域（例えば前述の角部の暗帯）内の反射率を調整して全体の導光板の輝度を更に均一とすることができる。
【００１１】
このほか、本発明の導光板の網点（第１網点、第２網点）はスクリーン印刷、エレクトロモールドエッチング或いはケミカルエッチングの方式で形成され、このような形成方法はいずれも周知の方法よりも簡単である。ゆえに本発明の導光板はより簡単な構造で導光板の特定領域内の反射率を増し、並びに導光板の輝度の均一性を増す目的を達成でき、並びに多くの生産コストを節約できると共に生産に必要な時間を短縮できる。
【００１２】
本発明の複数の第１網点及び複数の第２網点のサイズは異なる幾何曲線、例えば線形変化曲線、指数型変化曲線、三角関数型変化曲線、及び三者のうち少なくとも二者を混合した変化曲線により変化設計可能である。本発明の複数の第１網点と複数の第２網点のタイプに制限はないが、凹点と凸粒とされるのが好ましい。本発明の複数の第１網点及び第２網点の外形に制限はないが、円形、楕円形及び多角形とするのが好ましい。本発明の複数の第１網点と第２網点の外形に制限はないが、両者の外形が同じ状況が好ましい。本発明の複数の第１網点及び第２網点の形成方式に制限はないが、スクリーン印刷方式、ケミカルエッチング方式、エレクトロモールドエッチング方式が好ましい。本発明に組み合わされるランプに制限はないが、冷陰極管とするのが好ましい。
【実施例１】
【００１３】
図３を参照されたい。本発明の第１実施例は、上表面２２及び二つの側方向入射面２４１、２４２を具えた導光板２１、及び二つの側方向入射面２４１、２４２に対応するランプ２７１、２７２を具えている。該ランプ２７１、２７２は本実施例では冷陰極管とされ、且つ二つのランプ２７１、２７２の二側に電極２８１、２８２、２８３、２８４が設けられ、それは導光板２１の上表面２２の四つの角部でそれぞれ角部の暗帯２５１、２５２、２５３、２５４を形成する。
【００１４】
このほか、導光板２１の上表面２２に円形凹点状の複数の第１網点２３が設けられ、それは等間隔の方式で導光板の上表面２２に分布し、且つそのサイズは線形変化曲線により上表面２２の中央より四つの角部に向けて漸増する。このほか、導光板の上表面２２に複数の第１網点２３のほかに、角部の暗帯２５１、２５２、２５３、２５４内に別に円形凹点状の複数の第２網点２６が設けられ、それは等間隔の方式で角部の暗帯２５１、２５２、２５３、２５４内の第１網点２３の間隙の間に分布し、且つそのサイズは別の線形変化曲線により中央より四つの角部に向けて漸増する。
【実施例２】
【００１５】
図４から図８は本発明の他の実施例を示す。各実施例の導光板、ランプ（冷陰極管）の関係位置及び機能はいずれも本発明の第１実施例と同じであり、これにより、図３から図７は僅かにランプの電極に近い角部の暗帯付近の部分のみ表示している。
【００１６】
図４を参照されたい。本発明の第２実施例の複数の第１網点３１は等間隔の方式で導光板の上表面３３に分布し、且つその円形凹点のサイズは線形変化曲線により導光板の上表面３３の中央より四つの角部に向けて漸増する。導光板の上表面３３には複数の第１網点３１のほか、ランプ３４の電極３５に近い角部の暗帯３６内に、別に円形凹点状の複数の第２網点３２が設けられ、且つそれは等距離の方式で角部の暗帯３６内の第１網点３１の間隙の間に分布し、あた各第２網点３２のサイズはいずれも同じとされている。
【実施例３】
【００１７】
図５は本発明の第３実施例を示し、その複数の第１網点４１は等間隔の方式で導光板の上表面４３に分布し、且つその楕円形凹点のサイズは線形変化曲線により導光板上表面４３の中央より角部に向けて漸増する。導光板の上表面４３には複数の第１網点４１以外に、ランプ４４の電極４５に近い角部の暗帯４６内に、別に円形凹点状の複数の第２網点４２が設けられ、且つそれは等間隔の方式で角部の暗帯４６内の第１網点４１の間隙の間に分布し、各第２網点４２のサイズはいずれも同じとされている。
【実施例４】
【００１８】
図６は本発明の第４実施例を示し、その複数の第１網点５１は等間隔の方式で導光板の上表面５３に分布し、且つその六角形凹点のサイズは線形変化曲線により導光板上表面５３の中央より角部に向けて漸増する。導光板の上表面５３には複数の第１網点５１以外に、ランプ５４の電極５５に近い角部の暗帯５６内に、別に六角形凹点状の複数の第２網点５２が設けられ、且つそれは等間隔の方式で角部の暗帯５６内の第１網点５１の間隙の間に分布し、各第２網点５２のサイズはいずれも同じとされている。
【実施例５】
【００１９】
図７は本発明の第５実施例を示し、その複数の第１網点６１は等間隔の方式で導光板の上表面６３に分布し、且つその菱形凹点のサイズは線形変化曲線により導光板上表面６３の中央より角部に向けて漸増する。導光板の上表面６３には複数の第１網点６１以外に、ランプ６４の電極６５に近い角部の暗帯６６内に、別に菱形凹点状の複数の第２網点６２が設けられ、且つそれは等間隔の方式で角部の暗帯６６内の第１網点６１の間隙の間に分布し、各第２網点６２のサイズはいずれも同じとされている。
【実施例６】
【００２０】
図８は本発明の第６実施例を示し、その複数の第１網点７１は等間隔の方式で導光板の上表面７３に分布し、且つその三角形凹点のサイズは線形変化曲線により導光板上表面７３の中央より角部に向けて漸増する。導光板の上表面７３には複数の第１網点７１以外に、ランプ７４の電極７５に近い角部の暗帯７６内に、別に三角形凹点状の複数の第２網点７２が設けられ、且つそれは等間隔の方式で角部の暗帯７６内の第１網点７１の間隙の間に分布し、各第２網点７２のサイズはいずれも同じとされている。
【００２１】
以上の実施例から分かるように、本発明は確実に導光板の特定領域内の反射率を増し導光板の輝度の均一性を増し、その構造は周知の角部の暗帯を除去する方法よりも簡単である。
【図面の簡単な説明】
【００２２】
【図１】周知の角部の暗帯を除去した導光板の表示図（一）である。
【図２】周知の角部の暗帯を除去した導光板の表示図（二）である。
【図３】本発明の第１実施例の導光板の表示図である。
【図４】本発明の第２実施例の導光板の表示図である。
【図５】本発明の第３実施例の導光板の表示図である。
【図６】本発明の第４実施例の導光板の表示図である。
【図７】本発明の第５実施例の導光板の表示図である。
【図８】本発明の第６実施例の導光板の表示図である。
【符号の説明】
【００２３】
１１  導光板        １１１  上表面          １１２  網点
１２１  角部の暗帯  １３１  ランプ          １３２  電極
１５  導光板        １５１  上表面          １５２  網点
１６１  角部の暗帯  １７１  ランプ          １７２  電極
１８１  反射膜片    １８２  導光板側面      ２１  導光板
２２  上表面        ２３  第１網点          ２４１  側方向入射面
２４２  側方向入射面  ２５１  角部の暗帯    ２５２  角部の暗帯
２５３  角部の暗帯    ２５４  角部の暗帯    ２６  第２網点
２７１  ランプ        ２７２  ランプ        ２８１  電極
２９２  電極          ２８３  電極          ２８４  電極
３１  第１網点        ３２  第２網点        ３３  上表面
３４  ランプ          ３５  電極            ３６  角部の暗帯
４１  第１網点        ４２  第２網点        ４３  上表面
４４  ランプ          ４５  電極            ４６  角部の暗帯
５１  第１網点        ５２  第２網点        ５３  上表面
５４  ランプ          ５５  電極            ５６  角部の暗帯
６１  第１網点        ６２  第２網点        ６３  上表面
６４  ランプ          ６５  電極            ６６  角部の暗帯
７１  第１網点        ７２  第２網点        ７３  上表面
７４  ランプ          ７５  電極            ７６  角部の暗帯
【図１】
2005243601.tif 000003
【図２】
2005243601.tif 000004
【図３】
2005243601.tif 000005
【図４】
2005243601.tif 000006
【図５】
2005243601.tif 000007
【図６】
2005243601.tif 000008
【図７】
2005243601.tif 000009
【図８】
2005243601.tif 000010